(57)【要約】本開示の特定の態様は、狭帯域モノのインターネット（ＮＢ−ＩｏＴ）に対してデータ送信スキームをインプリメントするための方法および装置に関する。ユーザ機器（ＵＥ）は、少なくとも第１および第２の組み合わせられたアンテナポートを生成するために、アンテナポートの対を組み合わせる。ＵＥは、より大きなシステム帯域幅の狭帯域領域において送信された基準信号を受信し、組み合わせられたポートごとに、アンテナポートの組み合わせられた対の各アンテナポートのリソース要素（ＲＥ）上で受信された基準信号を加算する。ＵＥは、組み合わせられたポートのための加算された基準信号に基づいて、組み合わせられたアンテナポートごとにチャネル推定値を決定する。【選択図】  図８
2019503138.tif 000002
【特許請求の範囲】
【請求項１】
ユーザ機器（ＵＥ）によるワイヤレス通信の方法であって、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を備える方法。
【請求項２】
アンテナポートの前記組み合わせられた対の各アンテナポートのリソース要素（ＲＥ）上で受信された前記基準信号を加算することは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
をさらに備える、請求項１に記載の方法。
【請求項３】
前記組み合わせることは、前記デスクランブルされた信号を加算することを備える、請求項２に記載の方法。
【請求項４】
前記組み合わせることは、
前記デスクランブルされた信号に対して時間および／または周波数補間を実行することと、
前記補間されたデスクランブルされた信号を加算することと
を備える、請求項２に記載の方法。
【請求項５】
各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
をさらに備える、請求項１に記載の方法。
【請求項６】
前記アンテナポートの前記対を組み合わせた結果として前記ＵＥにおける結合利得をシグナリングすること
をさらに備える、請求項１に記載の方法。
【請求項７】
前記第１および第２の組み合わせられたアンテナポート内の基準信号電力オフセットと前記結合利得との和に一致する電力オフセットを有するデータを受信すること
をさらに備える、請求項６に記載の方法。
【請求項８】
基地局（ＢＳ）によるワイヤレス通信の方法であって、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を備え、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
方法。
【請求項９】
前記アンテナポートの前記対を組み合わせた結果として前記ＵＥにおける結合利得を備えるシグナリングを受信すること
をさらに備える、請求項８に記載の方法。
【請求項１０】
前記組み合わせられたアンテナポート内の基準信号電力オフセットと前記ＵＥにおける前記結合利得との和に一致する電力オフセットを有するデータを送信すること
をさらに備える、請求項９に記載に記載の方法。
【請求項１１】
前記第１または第２の組み合わせられたアンテナポートのうちの一方の電力を、他方の組み合わせられたアンテナポートの電力に一致するようにブーストすること
をさらに備える、請求項８に記載の方法。
【請求項１２】
ワイヤレス通信の装置であって、
少なくとも１つのプロセッサと、前記少なくとも１つのプロセッサは、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を行うように構成される、
前記少なくとも１つのプロセッサに結合されたメモリと
を備える、装置。
【請求項１３】
前記少なくとも１つのプロセッサは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
を行うことで、アンテナポートの前記組み合わせられた対の各アンテナポートのリソース要素（ＲＥ）上で受信された前記基準信号を加算するように構成される、請求項１２に記載の装置。
【請求項１４】
前記少なくとも１つのプロセッサは、前記デスクランブルされた信号を加算することで前記組み合わせることを実行するように構成される、請求項１３に記載の装置。
【請求項１５】
前記少なくとも１つのプロセッサは、
前記デスクランブルされた信号に対して時間および／または周波数補間を実行することと、
前記補間されたデスクランブルされた信号を加算することと
を行うことで、前記組み合わせることを実行するように構成される、請求項１３に記載の装置。
【請求項１６】
前記少なくとも１つのプロセッサは、
各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
を行うようにさらに構成される、請求項１２に記載の装置。
【請求項１７】
前記少なくとも１つのプロセッサは、
前記アンテナポートの前記対を組み合わせた結果として前記ＵＥにおける結合利得をシグナリングすること
を行うようにさらに構成される、請求項１２に記載の装置。
【請求項１８】
前記少なくとも１つのプロセッサは、
前記第１および第２の組み合わせられたアンテナポート内の基準信号電力オフセットと前記ＵＥの結合利得との和に一致する電力オフセットを有するデータを受信すること
を行うようにさらに構成される、請求項１７に記載の装置。
【請求項１９】
ワイヤレス通信の装置であって、
少なくとも第１および第２の組み合わせられたアンテナポートを生成するために、アンテナポートの対を組み合わせるための手段と、
より大きなシステム帯域幅の狭帯域領域において送信された基準信号を受信するための手段と、
組み合わせられたアンテナポートごとに、アンテナポートの前記組み合わせられた対の各アンテナポートのリソース要素（ＲＥ）上で受信された前記基準信号を加算するための手段と、
組み合わせられたアンテナポートのための前記加算された基準信号に基づいて、前記組み合わせられたアンテナポートごとにチャネル推定値を決定するための手段と
を備える装置。
【請求項２０】
アンテナポートの前記組み合わせられた対の各アンテナポートのリソース要素（ＲＥ）上で受信された前記基準信号を前記加算するための手段は、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
を行うようにさらに構成される、請求項１９に記載の装置。
【請求項２１】
前記組み合わせるための手段は、前記デスクランブルされた信号を加算するように構成される、請求項２０に記載の装置。
【請求項２２】
前記組み合わせるための手段は、
前記デスクランブルされた信号に対して時間および／または周波数補間を実行することと、
前記補間されたデスクランブルされた信号を加算することと
を行うように構成される、請求項２０に記載の装置。
【請求項２３】
各組み合わせられたアンテナポートの前記ポートの対応するＲＥ上で同じデータを受信するための手段と、
前記組み合わせられたアンテナポートの前記決定されたチャネル推定値に基づいて、前記ＲＥ上で受信されたデータを空間周波数ブロックコーディング（ＳＦＢＣ）対で処理するための手段と
をさらに備える、請求項１９に記載の装置。
【請求項２４】
前記アンテナポートの前記対を組み合わせた結果として前記ＵＥにおける結合利得をシグナリングするための手段
をさらに備える、請求項１９に記載の装置。
【請求項２５】
前記第１および第２の組み合わせられたアンテナポート内の基準信号電力オフセットと前記ＵＥの結合利得との和に一致する電力オフセットを有するデータを受信するための手段
をさらに備える、請求項２４に記載の装置。
【請求項２６】
命令を記憶するコンピュータ読取可能な媒体であって、前記命令は、プロセッサによって実行されると、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を備える方法を実行する、コンピュータ読取可能な媒体。
【請求項２７】
アンテナポートの前記組み合わせられた対の各アンテナポートのリソース要素（ＲＥ）上で受信された前記基準信号を加算することは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
をさらに備える請求項２６に記載のコンピュータ読取可能な媒体。
【請求項２８】
前記組み合わせることは、前記デスクランブルされた信号を加算することを備える、請求項２７に記載のコンピュータ読取可能な媒体。
【請求項２９】
前記組み合わせることは、
前記デスクランブルされた信号に対して時間および／または周波数補間を実行することと、
前記補間されたデスクランブルされた信号を加算することと
を備える、請求項２７に記載のコンピュータ読取可能な媒体。
【請求項３０】
各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
を行うための命令をさらに備える、請求項２６に記載のコンピュータ読取可能な媒体。
【請求項３１】
前記アンテナポートの前記対を組み合わせた結果として前記ＵＥにおける結合利得をシグナリングすること
を行うための命令をさらに備える、請求項２６に記載のコンピュータ読取可能な媒体。
【請求項３２】
前記第１および第２の組み合わせられたアンテナポート内の基準信号電力オフセットと前記ＵＥの結合利得との和に一致する電力オフセットを有するデータを受信すること
を行うための命令をさらに備える、請求項３１に記載のコンピュータ読取可能な媒体。
【請求項３３】
ワイヤレス通信のための装置であって、
少なくとも１つのプロセッサと、前記少なくとも１つのプロセッサは、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を行うように構成され、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
前記少なくとも１つのプロセッサに結合されたメモリと
を備える装置。
【請求項３４】
前記少なくとも１つのプロセッサは、
前記アンテナポートの前記対を組み合わせた結果として前記ＵＥにおける結合利得を備えるシグナリングを受信すること
を行うようにさらに構成される、請求項３３に記載の装置。
【請求項３５】
前記少なくとも１つのプロセッサは、
前記組み合わせられたアンテナポート内の基準信号電力オフセットと前記ＵＥにおける前記結合利得との和に一致する電力オフセットを有するデータを送信すること
を行うようにさらに構成される、請求項３４に記載の装置。
【請求項３６】
前記少なくとも１つのプロセッサは、
前記第１または第２の組み合わせられたアンテナポートのうちの一方の電力を、他方の組み合わせられたアンテナポートの電力に一致するようにブーストすること
を行うようにさらに構成される、請求項３３に記載の装置。
【請求項３７】
ワイヤレス通信のための装置であって、
より大きなシステム帯域幅の狭帯域領域における送信のために、少なくとも第１および第２の組み合わせられたアンテナポートを生成するために、アンテナポートの対を組み合わせるための手段と、
前記第１および第２の組み合わせられたアンテナポートの各々について、アンテナポートの前記組み合わせられた対の各アンテナポートの対応するＲＥ上で同じデータを送信するための手段と
を備え、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
装置。
【請求項３８】
前記アンテナポートの前記対を組み合わせた結果として前記ＵＥにおける結合利得を備えるシグナリングを受信するための手段
をさらに備える、請求項３７に記載の装置。
【請求項３９】
前記組み合わせられたアンテナポート内の基準信号電力オフセットと前記ＵＥにおける前記結合利得との和に一致する電力オフセットを有するデータを送信するための手段
をさらに備える、請求項３８に記載の装置。
【請求項４０】
前記第１または第２の組み合わせられたアンテナポートのうちの一方の電力を、他方の組み合わせられたアンテナポートの電力に一致するようにブーストするための手段
をさらに備える、請求項３７に記載の装置。
【請求項４１】
命令を記憶するコンピュータ読取可能な媒体であって、前記命令は、プロセッサによって実行されると、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を備える方法を実行し、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
コンピュータ読取可能な媒体。
【請求項４２】
前記アンテナポートの前記対を組み合わせた結果として前記ＵＥにおける結合利得を備えるシグナリングを受信するための命令
をさらに備える、請求項４１に記載のコンピュータ読取可能な媒体。
【請求項４３】
前記組み合わせられたアンテナポート内の基準信号電力オフセットと前記ＵＥにおける前記結合利得との和に一致する電力オフセットを有するデータを送信するための命令
をさらに備える、請求項４２に記載のコンピュータ読取可能な媒体。
【請求項４４】
前記第１または第２の組み合わせられたアンテナポートのうちの一方の電力を、他方の組み合わせられたアンテナポートの電力に一致するようにブーストするための命令
をさらに備える、請求項４１に記載のコンピュータ読取可能な媒体。
【請求項４５】
ワイヤレス通信の方法であって、
セルにおける送信のために２つ以上のリソースブロック（ＲＢ）を構成することと、
前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を備える方法。
【請求項４６】
前記２つ以上のＲＢの各々において異なる物理セル識別子を構成することをさらに備える、請求項４５に記載の方法。
【請求項４７】
ワイヤレス通信の装置であって、
少なくとも１つのプロセッサと、前記少なくとも１つのプロセッサは、
セルにおける送信のために２つ以上のリソースブロック（ＲＢ）を構成することと、
前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を行うように構成される、
前記少なくとも１つのプロセッサに結合されたメモリと
を備える装置。
【請求項４８】
前記少なくとも１つのプロセッサは、前記２つ以上のＲＢの各々において異なる物理セル識別子を構成するようにさらに構成される、請求項４７に記載の装置。
【請求項４９】
ワイヤレス通信の装置であって、
セルにおける送信のために２つ以上のリソースブロック（ＲＢ）を構成するための手段と、
前記セルにおける前記送信のための前記２つ以上のＲＢに対して同じスクランブリングシーケンスを構成するための手段と、
前記ＲＢの各々において送信されるべきデータを前記スクランブリングシーケンスを用いてスクランブリングするための手段と
を備える装置。
【請求項５０】
前記２つ以上のＲＢの各々において異なる物理セル識別子を構成するための手段をさらに備える、請求項４９に記載の装置。
【請求項５１】
命令を記憶するコンピュータ読取可能な媒体であって、前記命令は、プロセッサによって実行されると、
セルにおける送信のために２つ以上のリソースブロック（ＲＢ）を構成することと、
前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を備える方法を実行する、コンピュータ読取可能な媒体。
【請求項５２】
前記２つ以上のＲＢの各々において異なる物理セル識別子を構成するための命令をさらに備える、請求項５１に記載のコンピュータ読取可能な媒体。
【発明の詳細な説明】
【関連出願】
【０００１】
[0001]本願は、２０１６年１月７日に出願された米国仮出願第６２／２７６，２１９号、２０１６年１月１９日に出願された仮出願第６２／２８０，５９０号、２０１６年２月５日に出願された仮出願第６２／２９２，１９４号、および２０１６年１２月１２日に出願された米国特許出願第１５／３７６，４９０号に対する優先権を主張し、それらはすべて、全体としてここに参照によって明確に組み込まれる。
【技術分野】
【０００２】
[0002]本開示は一般にワイヤレス通信に関し、より具体的には、狭帯域モノのインターネット（ＮＢ−ＩｏＴ）のためのデータ送信スキームのための方法および装置に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することで複数のユーザとの通信をサポートすることができる多元接続技術を用い得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、種々のワイヤレスデバイスが都市レベル、全国レベル、地域レベル、さらには世界規模で通信することを可能にする共通のプロトコルを提供するために、様々な電気通信規格において採用されている。新興の電気通信規格の例は、ロングタームエボリューション（ＬＴＥ（登録商標））である。ＬＴＥ／ＬＴＥ−アドバンスドは、第３世代パートナーシッププロジェクト（３ＧＰＰ（登録商標））によって公表されたユニバーサルモバイル電気通信システム（ＵＭＴＳ）モバイル規格への拡張のセットである。これは、スペクトル効率を改善することでモバイルブロードバンドインターネットアクセスをより快適にサポートし、コストを下げ、サービスを向上させ、新たなスペクトルを利用し、ダウンリンク（ＤＬ）ではＯＦＤＭＡを、アップリンク（ＵＬ）ではＳＣ−ＦＤＭＡを使用し、入力多出力（ＭＩＭＯ）アンテナ技術を使用する他のオープン規格とより良好に統合するように設計されている。しかしながら、モバイルブロードバンドアクセスに対する需要が増加し続けるに伴い、ＬＴＥ技術のさらなる改良の必要性が存在する。好ましくは、これらの改良は、これらの技術を用いる他の多元接続技術および電気通信規格に適用可能であるべきである。
【発明の概要】
【０００５】
[0005]本開示の特定の態様は、ユーザ機器（ＵＥ）によるワイヤレス通信のための方法を提供する。この方法は一般に、少なくとも第１および第２の組み合わせられたアンテナポートを生成するために、アンテナポートの対を組み合わせることと、より大きなシステム帯域幅の狭帯域領域において送信された基準信号を受信することと、組み合わせられたアンテナポートごとに、アンテナポートの組み合わせられた対の各アンテナポートのリソース要素（ＲＥ）上で受信された基準信号を加算することと、組み合わせられたアンテナポートのための加算された基準信号に基づいて、組み合わせられたアンテナポートごとにチャネル推定値を決定することとを含む。
【０００６】
[0006]本開示の特定の態様は、基地局（ＢＳ）によるワイヤレス通信のための方法を提供する。この方法は一般に、より大きなシステム帯域幅の狭帯域領域における送信のために、少なくとも第１および第２の組み合わせられたアンテナポートを生成するために、アンテナポートの対を組み合わせることと、第１および第２の組み合わせられたアンテナポートの各々について、アンテナポートの組み合わせられた対の各アンテナポートの対応するＲＥ上で同じデータを送信することとを含み、ここにおいて、第１および第２の組み合わせられたアンテナポートの各々について、チャネル推定値は、受信ＵＥによって決定され、ＲＥ上で送信されたデータは、決定されたチャネル推定値に基づいて、受信ＵＥによって対で処理される。
【０００７】
[0007]本開示の特定の態様は、ワイヤレス通信のための方法を提供する。この方法は一般に、セルにおける送信のために２つ以上のリソースブロック（ＲＢ）を構成することと、セルにおける送信のための２つ以上のＲＢに対して同じスクランブリングシーケンスを構成することと、ＲＢの各々において送信されるべきデータをスクランブリングシーケンスを用いてスクランブリングすることとを含む。
【０００８】
[0008]態様は一般に、添付の図面を参照して実質的にここで説明されるようにおよびそれらによって例示されるように、方法、装置、システム、コンピュータプログラム製品、コンピュータ読取可能な媒体、および処理システムを含む。「ＬＴＥ」は一般に、ＬＴＥ、ＬＴＥ−アドバンスド（ＬＴＥ−Ａ）、アンライセンススペクトルにあるＬＴＥ（ＬＴＥ−ホワイトスペース）、等を指す。
【図面の簡単な説明】
【０００９】
【図１】[0009]図１は、ネットワークアーキテクチャの例を例示する図である。
【図２】[0010]図２は、アクセスネットワークの例を例示する図である。
【図３】[0011]図３は、ＬＴＥにおけるＤＬフレーム構造の例を例示する図である。
【図４】[0012]図４は、ＬＴＥにおけるＵＬフレーム構造の例を例示する図である。
【図５】[0013]図５は、ユーザおよび制御プレーンのための無線プロトコルアーキテクチャの例を例示する図である。
【図６】[0014]図６は、本開示の特定の態様による、アクセスネットワークにおける発展型ノードＢおよびユーザ機器の例を例示する図である。
【図７】[0015]図７は、本開示の特定の態様による、ＮＢ−ＩｏＴの例となる展開を例示する。
【図８】[0016]図８は、本開示の特定の態様による、ＮＢ ＩｏＴのための送信スキームをインプリメントするために、ＵＥによって実行される例となる動作を例示する。
【図９】[0017]図９は、本開示の特定の態様による、ＮＢ ＩｏＴのための送信スキームをインプリメントするために、基地局によって実行される例となる動作を例示する。
【図１０】[0018]図１０は、本開示の特定の態様による、ＮＢ−ＩｏＴ送信のために、基地局によって実行され得る、例となる動作を例示する。
【図１１】[0019]図１１は、本開示の特定の態様による、リソースブロック（ＲＢ）における例となるＮＢ−ＲＳパターンを例示する。
【図１２】[0020]図１２は、本開示の特定の態様による、セルにおける異なるＲＢにおいて異なるシーケンスを使用することを例示する。
【図１３】[0021]図１３は、本開示の特定の態様による、セルの異なるＲＢにおいて同じシーケンスを使用することを例示する。
【発明の詳細な説明】
【００１０】
[0022]狭帯域モノのインターネット（ＮＢ−ＩｏＴ）は、３ＧＰＰ標準化団体によって標準化されている技術である。この技術は、ＩｏＴのために特別に設計された狭帯域無線技術であり、ゆえにその名前である。この規格の特別な焦点は、屋内カバレッジ、低コスト、長いバッテリ寿命、および多数のデバイスにある。ＮＢ−ＩｏＴ技術は、例えば、通常のＬＴＥまたはＧＳＭ（登録商標）スペクトル内のリソースブロックを利用して、「帯域内」で展開され得る。加えて、ＮＢ−ＩｏＴは、ＬＴＥキャリアのガードバンド内の未使用リソースブロックにおいて展開され得るか、専用スペクトルでの展開の場合は「スタンドアローン」で展開され得る。
【００１１】
[0023]ＮＢ−ＩｏＴの帯域内バージョンは、広帯域ＬＴＥ信号に埋め込まれた信号を使用する。このケースでは、ｅＮＢは、１ポートＣＲＳ、２ポートＣＲＳ、および４ポートＣＲＳのうちの１つを送信する。しかしながら、ＮＢ−ＩｏＴデバイス（例えば、ＵＥ）は、２ポートベースのダイバーシティスキームしかサポートしない可能性がある。ｅＮＢは典型的に、すべての既存ポートが信号／データ送信に関与する場合にのみ、フル電力信号を送信し得る。しかし、ＵＥ側では、これにより、１つのＵＥ Ｒｘアンテナに対して４つのｅＮＢアンテナのためのチャネルを推定することが必要となるであろう。本開示の特定の態様は、ＮＢ−ＩｏＴのための新しい送信スキームを提供する。
【００１２】
[0024]特定の態様では、新しい送信スキームにしたがって、ＵＥは、少なくとも第１および第２の組み合わせられたアンテナポートを生成するために、アンテナポートの対を組み合わせる。組み合わせられたポートごとに、ＵＥは、アンテナポートの組み合わせられた対の各アンテナポートのリソース要素（ＲＥ）上で受信された基準信号を加算する。次いで、ＵＥは、組み合わせられたポートのための加算された基準信号に基づいて、組み合わせられたアンテナポートごとにチャネル推定値を決定する。特定の態様では、組み合わせられたポートの各々について、ＵＥは、組み合わせられたポートの決定されたチャネル推定値に基づいて、データＲＥ上で受信されたデータを対で処理する。
【００１３】
[0025]特定の態様では、基地局（ＢＳ）は、より大きなシステム帯域幅の狭帯域領域における送信のために、少なくとも第１および第２の組み合わせられたアンテナポートを生成するために、アンテナポートの対を組み合わせる。第１および第２の組み合わせられたアンテナポートの各々について、ＢＳは、アンテナポートの組み合わせられた対の各アンテナポートの対応するＲＥ上で同じデータを送信し、ここにおいて、受信ＵＥは、第１および第２の組み合わせられたポートの各々について、チャネル推定値を決定し、決定されたチャネル推定値に基づいて、ＲＥにおいて受信されたデータを処理する。
【００１４】
[0026]添付の図面に関連して以下に示される詳細な説明は、様々な構成の説明を意図したものであり、ここで説明される概念が実施され得る唯一の構成を表すことを意図したものではない。詳細な説明は、様々な概念の完全な理解を与えることを目的とした特定の詳細を含む。しかしながら、これらの概念がこれらの特定の詳細なしに実施され得ることは、当業者には明らかであろう。いくつかの事例では、周知の構造およびコンポーネントが、このような概念を曖昧にしないために、ブロック図の形式で示される。
【００１５】
[0027]ここから、電気通信システムのいくつかの態様が、様々な装置および方法を参照して提示される。これらの装置および方法は、（「要素」と総称される）様々なブロック、モジュール、コンポーネント、回路、ステップ、プロセス、アルゴリズム、等により、以下の詳細な説明において説明され、添付の図面に例示される。これらの要素は、ハードウェア、ソフトウェア、またはそれらの組合せを使用してインプリメントされ得る。そのような要素がハードウェアとしてインプリメントされるかソフトウェアとしてインプリメントされるかは、特定の用途とシステム全体に課される設計制約とに依存する。
【００１６】
[0028]例として、１つの要素、または１つの要素の任意の部分、あるいは複数の要素の任意の組合せは、１つまたは複数のプロセッサを含む「処理システム」でインプリメントされ得る。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能性を実行するように構成された他の適切なハードウェアが含まれる。処理システム中の１つまたは複数のプロセッサは、ソフトウェアを実行し得る。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数、等を意味すると広く解釈されるものとする。
【００１７】
[0029]したがって、１つまたは複数の例示的な実施形態では、説明される機能は、ハードウェア、ソフトウェア、またはこれらの組合せによりインプリメントされ得る。ソフトウェアにより実施される場合、これらの機能は、コンピュータ読取可能な媒体上の１つまたは複数の命令またはコードとして記憶または符号化され得る。コンピュータ読取可能な媒体は、コンピュータ記憶媒体を含む。記憶媒体は、コンピュータによってアクセスされることができる任意の利用可能な媒体であり得る。限定ではなく例として、そのようなコンピュータ読取可能な媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスク記憶装置、磁気ディスク記憶装置または他の磁気記憶デバイス、あるいは命令もしくはデータ構造の形式で所望されるプログラムコードを搬送または記憶するために使用されることができ、コンピュータによってアクセスされることができる任意の他の媒体を備えることができる。ここで使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここで、ディスク（disk）は通常、磁気的にデータを再生し、ディスク（disc）は、レーザーを用いて光学的にデータを再生する。上記の組合せもまた、コンピュータ読取可能な媒体の範囲内に含まれるべきである。例示的な記憶媒体は、プロセッサが記憶媒体から情報を読み出し、記憶媒体に情報を書き込むことができるように、プロセッサに結合される。代替例では、記憶媒体は、プロセッサに一体化され得る。プロセッサおよび記憶媒体は、ＡＳＩＣ内に存在し得る。ＡＳＩＣは、ユーザ端末内に存在し得る。代替例では、プロセッサおよび記憶媒体は、ディスクリートコンポーネントとしてユーザ端末に存在し得る。
【００１８】
[0030]図１は、本開示の態様が実施され得るＬＴＥネットワークアーキテクチャ１００を例示する図である。
【００１９】
[0031]特定の態様では、ＵＥ（例えば、ＵＥ１０２）は、少なくとも第１および第２の組み合わせられたアンテナポートを生成するために、アンテナポートの対を組み合わせる。組み合わせられたポートごとに、ＵＥは、アンテナポートの組み合わせられた対の各アンテナポートのリソース要素（ＲＥ）上で受信された基準信号を加算する。次いで、ＵＥは、組み合わせられたポートのための加算された基準信号に基づいて、組み合わせられたアンテナポートごとにチャネル推定値を決定する。特定の態様では、組み合わせられたポートの各々について、ＵＥは、組み合わせられたポートの決定されたチャネル推定値に基づいて、データＲＥ上で受信されたデータを対で処理する。
【００２０】
[0032]特定の態様では、基地局（ＢＳ）（例えば、ｅＮＢ１０６または他のｅＮＢ１０８のうちの１つ）は、より大きなシステム帯域幅の狭帯域領域における送信のために、少なくとも第１および第２の組み合わせられたアンテナポートを生成するために、アンテナポートの対を組み合わせる。第１および第２の組み合わせられたアンテナポートの各々について、ＢＳは、アンテナポートの組み合わせられた対の各アンテナポートの対応するＲＥ上で同じデータを送信し、ここにおいて、受信ＵＥは、第１および第２の組み合わせられたポートの各々について、チャネル推定値を決定し、決定されたチャネル推定値に基づいて、ＲＥにおいて受信されたデータを対で処理する。
【００２１】
[0033]ＬＴＥネットワークアーキテクチャ１００は、発展型パケットシステム（ＥＰＳ）１００と呼ばれ得る。ＥＰＳ１００は、１つまたは複数のユーザ機器（ＵＥ）１０２と、発展型ＵＭＴＳ地上無線アクセスネットワーク（Ｅ−ＵＴＲＡＮ）１０４と、発展型パケットコア（ＥＰＣ）１１０と、ホーム加入者サーバ（ＨＳＳ）１２０と、オペレータのＩＰサービス１２２とを含み得る。ＥＰＳは、他のアクセスネットワークと相互接続することができるが、簡潔さのために、それらのエンティティ／インターフェースは示されていない。例示的な他のアクセスネットワークには、ＩＰマルチメディアサブシステム（ＩＭＳ）ＰＤＮ、インターネットＰＤＮ、アドミニストレイティブＰＤＮ（例えば、プロビジョニングＰＤＮ）、キャリア固有ＰＤＮ、オペレータ固有ＰＤＮ、および／またはＧＰＳ ＰＤＮが含まれ得る。示されるように、ＥＰＳは、パケット交換サービスを提供するが、当業者が容易に認識するであろうように、本開示全体にわたって提示される様々な概念は、回線交換サービスを提供するネットワークに拡張され得る。
【００２２】
[0034]Ｅ−ＵＴＲＡＮは、発展型ノードＢ（ｅＮＢ）１０６および他のｅＮＢ１０８を含む。ｅＮＢ１０６は、ＵＥ１０２に対してユーザおよび制御プレーンプロトコル終端を提供する。ｅＮＢ１０６は、Ｘ２インターフェース（例えば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ）、拡張サービスセット（ＥＳＳ）、アクセスポイントとも、または何らかの他の適切な専門用語でも呼ばれ得る。ｅＮＢ１０６は、ＵＥ１０２に対してＥＰＣ１１０へのアクセスポイントを提供し得る。ＵＥ１０２の例には、携帯電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、ネットブック、スマートブック、ウルトラブック、ドローン、ロボット、センサ、モニタ、メーター、カメラ／防犯カメラ、ゲーミング／エンターテイメントデバイス、仮想現実／拡張現実デバイス、ウェアラブルデバイス（例えば、スマートウォッチ、スマートメガネ、スマートゴーグル、スマートリング、スマートブレスレット、スマートリストバンド、スマートジュエリ、スマート衣類、等）、車両デバイス、（例えば、衛星ベース、地上ベース、等の）位置特定／ナビゲーションデバイス、任意の他の同様に機能するデバイス、等が含まれる。いくつかのＵＥは、基地局、別のリモートデバイス、または何らかの他のエンティティと通信し得る、リモートデバイスを含み得るマシンタイプ通信（ＭＴＣ）ＵＥであると考えられ得る。マシンタイプ通信（ＭＴＣ）は、通信の少なくとも一端に少なくとも１つのリモートデバイスを伴う通信を指し得、人間のインタラクションを必ずしも必要としない１つまたは複数のエンティティを伴うデータ通信の形態を含み得る。ＭＴＣ ＵＥは、例えば、地上波公共移動通信ネットワーク（ＰＬＭＮ）を通して、ＭＴＣサーバおよび／または他のＭＴＣデバイスとのＭＴＣ通信が可能であるＵＥを含み得る。ＭＴＣデバイスの例には、センサ、メーター、ロケーションタグ、モニタ、ドローン、ロボット／ロボットデバイス、等が含まれる。ＭＴＣ ＵＥおよび他のタイプのＵＥは、ＮＢ−ＩｏＴ（狭帯域モノのインターネット）デバイスとしてインプリメントされ得る。ＵＥ１０２は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントとも、または何らかの他の適切な用語でも呼ばれ得る。
【００２３】
[0035]ｅＮＢ１０６は、Ｓ１インターフェースによってＥＰＣ１１０に接続される。ＥＰＣ１１０は、モビリティ管理エンティティ（ＭＭＥ）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間でのシグナリングを処理する制御ノードである。一般に、ＭＭＥ１１２は、ベアラおよび接続管理を提供する。すべてのユーザＩＰパケットは、自身がＰＤＮゲートウェイ１１８に接続されるサービングゲートウェイ１１６を通して転送される。ＰＤＮゲートウェイ１１８は、ＵＥ ＩＰアドレス割振りおよび他の機能を提供する。ＰＤＮゲートウェイ１１８は、オペレータのＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含み得る。このように、ＵＥ１０２は、ＬＴＥネットワークを通してＰＤＮに結合され得る。
【００２４】
[0036]図２は、本開示の態様が実施され得るＬＴＥネットワークアーキテクチャにおけるアクセスネットワーク２００の例を例示する図である。例えば、ＵＥ２０６およびｅＮＢ２０４は、本開示の態様において説明される、ＮＢ−ＩｏＴのための新しい送信スキームをインプリメントするための技法をインプリメントするように構成され得る。
【００２５】
[0037]この例では、アクセスネットワーク２００は、複数の（a number of）セルラ領域（セル）２０２に分割されている。１つまたは複数のより低い電力クラスのｅＮＢ２０８は、セル２０２のうちの１つまたは複数と重なるセルラ領域２１０を有し得る。より低い電力クラスのｅＮＢ２０８は、リモート無線ヘッド（ＲＲＨ）と呼ばれ得る。より低い電力クラスのｅＮＢ２０８は、フェムトセル（例えば、ホームｅＮＢ（ＨｅＮＢ））、ピコセル、またはマイクロセルであり得る。マクロｅＮＢ２０４は、それぞれのセル２０２に各々割り当てられ、セル２０２内のすべてのＵＥ２０６に対してＥＰＣ１１０へのアクセスポイントを提供するよう構成される。アクセスネットワーク２００のこの例には集中型コントローラが存在しないが、代替的な構成では、集中型コントローラが使用され得る。ｅＮＢ２０４は、無線ベアラ制御、アドミッション制御、モビリティ制御、スケジューリング、セキュリティ、およびサービングゲートウェイ１１６への接続性を含む、無線に関連するすべての機能を担う。ネットワーク２００はまた、１つまたは複数の中継器（図示されない）を含み得る。１つのアプリケーションによれば、ＵＥは、中継器としての役割を果たし得る。
【００２６】
[0038]アクセスネットワーク２００によって用いられる変調および多元接続スキームは、展開されている特定の電気通信規格によって変わり得る。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。当業者が、次に続く詳細な説明から容易に認識するように、ここに提示される様々な概念は、ＬＴＥアプリケーションに適している。しかしながら、これらの概念は、他の変調および多元接続技法を用いる他の電気通信規格に容易に拡張され得る。例として、これらの概念は、進化データ最適化（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるモバイル通信のめのグローバルシステム（ＧＳＭ）、ＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張され得る。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、特定の用途とシステムに課せられる全体的な設計制約とに依存するであろう。
【００２７】
[0039]ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間ドメイン活用することを可能にする。空間多重化は、異なるデータストリームを同じ周波数上で同時に送信するために使用され得る。これらデータストリームは、データレートを増加させるために単一のＵＥ２０６に、または、全システム容量を増加させるために複数のＵＥ２０６に、送信され得る。これは、各データストリームを空間的にプリコーディングし（例えば、振幅および位相のスケーリングを適用し）、次いで、ＤＬ上で複数の送信アンテナを通して、空間的にプリコーディングされた各ストリームを送信することで達成される。空間的にプリコーディングされたデータストリームは、ＵＥ２０６の各々がそのＵＥ２０６に宛てられた１つまたは複数のデータストリームを復元することを可能にする異なる空間シグネチャとともにＵＥ２０６に到着する。ＵＬ上で、各ＵＥ２０６は、空間的にプリコーディングされたデータストリームを送信し、これは、ｅＮＢ２０４が、空間的にプリコーディングされた各データストリームのソースを識別することを可能にする。
【００２８】
[0040]空間多重化は一般に、チャネル状態が良好なときに使用される。チャネル状態があまり良好でないときは、送信エネルギーを１つまたは複数の方向に集中させるために、ビームフォーミングが使用され得る。これは、複数のアンテナを通した送信のためにデータを空間的にプリコーディングすることで達成され得る。セルのエッジにおいて良好なカバレッジを達成するために、単一ストリームビームフォーミング送信が、送信ダイバーシティと併用され得る。
【００２９】
[0041]次に続く詳細な説明では、アクセスネットワークの様々な態様が、ＤＬ上でＯＦＤＭをサポートするＭＩＭＯシステムを参照して説明され得る。ＯＦＤＭは、ＯＦＤＭシンボル内の複数のサブキャリアにわたってデータを変調するスペクトル拡散技法である。これらサブキャリアは、正確な周波数で間隔が空けられている。この間隔は、受信機がこれらサブキャリアからデータを復元することを可能にする「直交性」を提供する。時間ドメインでは、ＯＦＤＭシンボル間干渉に対抗するために、ガードインターバル（例えば、サイクリックプリフィックス）が各ＯＦＤＭシンボルに追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３０】
[0042]図３は、ＬＴＥにおけるＤＬフレーム構造の例を例示する図３００である。１つのフレーム（１０ｍｓ）は、０〜９のインデックスを有する１０個の等しいサイズのサブフレームに分割され得る。各サブフレームは、２つの連続したタイムスロットを含み得る。２つのタイムスロットを表すためにリソースグリッドが使用され得、各タイムスロットは、リソースブロックを含む。リソースグリッドは、複数のリソース要素に分割される。ＬＴＥでは、リソースブロックは、周波数ドメインに１２個の連続したサブキャリアを、ノーマルサイクリックプレフィックスの場合には、各ＯＦＤＭシンボルにおいて、時間ドメインに７個の連続したＯＦＤＭシンボルを、すなわち、８４個のリソース要素、を含む。拡張サイクリックプレフィックスの場合には、リソースブロックは、時間ドメインに６つの連続するＯＦＤＭシンボルを含むため、７２個のリソース要素を有する。Ｒ３０２、Ｒ３０４として示される、これらリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされているリソースブロック上でのみ送信される。各リソース要素によって搬送されるビット数は、変調スキームに依存する。ゆえに、ＵＥが受信するリソースブロックが多いほど、および、変調スキームが高度であるほど、ＵＥのためのデータレートは高くなる。
【００３１】
[0043]ＬＴＥでは、ｅＮＢは、ｅＮＢにおけるセルごとに、プライマリ同期信号（ＰＳＳ）およびセカンダリ同期信号（ＳＳＳ）を送り得る。プライマリ同期信号およびセカンダリ同期信号は、ノーマルサイクリックプレフィックス（ＣＰ）の場合、各無線フレームのサブフレーム０および５の各々におけるシンボル期間６および５においてそれぞれ送られ得る。これらの同期信号は、セル検出および捕捉のためにＵＥによって使用され得る。ｅＮＢは、サブフレーム０のスロット１におけるシンボル期間０〜３において、物理ブロードキャストチャネル（ＰＢＣＨ）を送り得る。ＰＢＣＨは、特定のシステム情報を搬送し得る。
【００３２】
[0044]ｅＮＢは、各サブフレームの第１のシンボル期間内において物理制御フォーマットインジケータチャネル（ＰＣＦＩＣＨ）を送り得る。ＰＣＦＩＣＨは、制御チャネルに対して使用されるシンボル期間の数（Ｍ）を伝達し得、ここで、Ｍは、１、２、または３に等しくなり得、サブフレームごとに変化し得る。Ｍは、例えば、１０個未満のリソースブロックを有する小さいシステム帯域幅では、４に等しくもなり得る。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３３】
[0045]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅の特定の部分において、ＵＥのグループにＰＤＣＣＨを送り得る。ｅＮＢは、システム帯域幅の特定の部分において、特定のＵＥにＰＤＳＣＨを送り得る。ｅＮＢは、ＰＳＳ、ＳＳＳ、ＰＢＣＨ、ＰＣＦＩＣＨ、およびＰＨＩＣＨをすべてのＵＥにブロードキャスト方式で送り得、ＰＤＣＣＨを特定のＵＥにユニキャスト方式で送り得、同じくユニキャスト方式でＰＤＳＣＨを特定のＵＥに送り得る。
【００３４】
[0046]複数のリソース要素が、各シンボル期間において利用可能であり得る。各リソース要素（ＲＥ）は、１つのシンボル期間において１つのサブキャリアをカバーし得、実数値または複素数値であり得る１つの変調シンボルを送るために使用され得る。各シンボル期間において基準信号に使用されないリソース要素は、リソース要素グループ（ＲＥＧ）へと配列され得る。各ＲＥＧは、１つのシンボル期間において４つのリソース要素を含み得る。ＰＣＦＩＣＨは、シンボル期間０において、周波数にわたってほぼ均等に間隔が空けられ得る４つのＲＥＧを占有し得る。ＰＨＩＣＨは、１つまたは複数の設定可能な（configurable）シンボル期間において、周波数にわたって拡散され得る３つのＲＥＧを占有し得る。例えば、ＰＨＩＣＨのための３つのＲＥＧはすべて、シンボル期間０に属するか、またはシンボル期間０、１および２に拡散され得る。ＰＤＣＣＨは、例えば、最初のＭ個のシンボル期間内において、利用可能なＲＥＧから選択され得る９、１８、３６、または７２個のＲＥＧを占有し得る。ＲＥＧの特定の組合せだけが、ＰＤＣＣＨに対して許容され得る。本方法および装置の態様では、サブフレームは、１つより多くのＰＤＣＣＨを含み得る。
【００３５】
[0047]ＵＥは、ＰＨＩＣＨおよびＰＣＦＩＣＨに対して使用される特定のＲＥＧを知っているであろう。ＵＥは、ＰＤＣＣＨのためのＲＥＧの異なる組合せを探索し得る。探索すべき組合せの数は、典型的に、ＰＤＣＣＨに対して許容される組合せの数よりも少ない。ｅＮＢは、ＵＥが探索するであろう組合せのうちの任意のものにおいて、ＰＤＣＣＨをＵＥに送り得る。
【００３６】
[0048]図４は、ＬＴＥにおけるＵＬフレーム構造の例を例示する図４００である。ＵＬのための利用可能なリソースブロックは、データセクションと制御セクションとに分けられ得る。制御セクションは、システム帯域幅の２つのエッジに形成され得、設定可能なサイズを有し得る。制御セクションにおけるリソースブロックは、制御情報の送信のためにＵＥに割り当てられ得る。データセクションは、制御セクションに含まれないすべてのリソースブロックを含み得る。ＵＬフレーム構造は、連続したサブキャリアを含むデータセクションに帰着し、これは、単一のＵＥに、データセクションにおけるそれら連続したサブキャリアのすべてが割り当てられることを可能にし得る。
【００３７】
[0049]ＵＥは、ｅＮＢに制御情報を送信するために、制御セクションにおけるリソースブロック４１０ａ，４１０ｂが割り当てられ得る。ＵＥはまた、ｅＮＢにデータを送信するために、データセクションにおけるリソースブロック４２０ａ，４２０ｂが割り当てられ得る。ＵＥは、制御セクションにおける割り当てられたリソースブロック上の物理ＵＬ制御チャネル（ＰＵＣＣＨ）において制御情報を送信し得る。ＵＥは、データセクションにおける割り当てられたリソースブロック上の物理ＵＬ共有チャネル（ＰＵＳＣＨ）において、データのみ、またはデータと制御情報の両方を送信し得る。ＵＬ送信は、サブフレームの両方のスロットにまたがり得、周波数にわたってホッピングし得る。
【００３８】
[0050]リソースブロックのセットが、初期システムアクセスを実行し、物理ランダムアクセスチャネル（ＰＲＡＣＨ）４３０においてＵＬ同期を達成するために使用され得る。ＰＲＡＣＨ４３０は、ランダムシーケンスを搬送するが、ＵＬデータ／シグナリングはいずれも搬送することができない。各ランダムアクセスプリアンブルは、６つの連続したリソースブロックに対応する帯域幅を占有する。開始周波数は、ネットワークによって指定される。すなわち、ランダムアクセスプリアンブルの送信は、特定の時間および周波数リソースに制限される。ＰＲＡＣＨについては、周波数ホッピングは存在しない。ＰＲＡＣＨの試みは、単一のサブフレーム（１ｍｓ）においてまたはいくつかの連続したサブフレームのシーケンスにおいて搬送され、ＵＥは、１フレーム（１０ｍｓ）あたり単一のＰＲＡＣＨの試みのみを行うことができる。
【００３９】
[0051]図５は、ＬＴＥにおけるユーザおよび制御プレーンのための無線プロトコルアーキテクチャの例を示す図５００である。ＵＥおよびｅＮＢのための無線プロトコルアーキテクチャは、レイヤ１、レイヤ２、およびレイヤ３という３つのレイヤで示される。レイヤ１（Ｌ１レイヤ）は、最下位レイヤであり、様々な物理レイヤ信号処理機能をインプリメントする。Ｌ１レイヤは、ここでは、物理レイヤ５０６と呼ばれるであろう。レイヤ２（Ｌ２レイヤ）５０８は、物理レイヤ５０６の上位であり、物理レイヤ５０６より上でのＵＥとｅＮＢの間のリンクを担う。
【００４０】
[0052]ユーザプレーンでは、Ｌ２レイヤ５０８は、ネットワーク側のｅＮＢで終端する、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。示されていないが、ＵＥは、ネットワーク側のＰＤＮゲートウェイ１１８で終端するネットワークレイヤ（例えば、ＩＰレイヤ）と、この接続の他端（例えば、遠端のＵＥ、サーバ、等）で終端するアプリケーションレイヤとを含む、Ｌ２レイヤ５０８より上位のいくつかの上位レイヤを有し得る。
【００４１】
[0053]ＰＤＣＰサブレイヤ５１４は、異なる無線ベアラと論理チャネルとの間の多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、およびｅＮＢ間のＵＥのためのハンドオーバサポートを提供する。ＲＬＣサブレイヤ５１２は、上位レイヤデータパケットのセグメント化とリアセンブリ、損失データパケットの再送、およびデータパケットの並べ替え（reordering）を提供して、ハイブリッド自動再送要求（ＨＡＲＱ）により順序が乱れた受信を補償する。ＭＡＣサブレイヤ５１０は、論理チャネルとトランスポートチャネルとの間の多重化を提供する。ＭＡＣサブレイヤ５１０はまた、１つのセルにおける様々な無線リソース（例えば、リソースブロック）を複数のＵＥの間で割り振ることを担う。ＭＡＣサブレイヤ５１０は、ＨＡＲＱ動作も担う。
【００４２】
[0054]制御プレーンでは、ＵＥおよびｅＮＢのための無線プロトコルアーキテクチャは、制御プレーンの場合にはヘッダ圧縮機能がない点を除き、物理レイヤ５０６およびＬ２レイヤ５０８について実質的に同じである。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得すること、およびｅＮＢとＵＥとの間でＲＲＣシグナリングを使用して下位レイヤを構成することを担う。
【００４３】
[0055]図６は、本開示の態様が実施され得る、アクセスネットワークにおいてＵＥ６５０と通信状態にあるｅＮＢ６１０のブロック図である。
【００４４】
[0056]特定の態様では、ＵＥ（例えば、ＵＥ６５０）は、少なくとも第１および第２の組み合わせられたアンテナポートを生成するために、アンテナポートの対を組み合わせる。組み合わせられたポートごとに、ＵＥは、アンテナポートの組み合わせられた対の各アンテナポートのリソース要素（ＲＥ）上で受信された基準信号を加算する。次いで、ＵＥは、組み合わせられたポートのための加算された基準信号に基づいて、組み合わせられたアンテナポートごとにチャネル推定値を決定する。特定の態様では、組み合わせられたポートの各々について、ＵＥは、組み合わせられたポートの決定されたチャネル推定値に基づいて、データＲＥ上で受信されたデータを対で処理する。
【００４５】
[0057]特定の態様では、基地局（ＢＳ）（例えば、ｅＮＢ６１０）は、より大きなシステム帯域幅の狭帯域領域における送信のために、少なくとも第１および第２の組み合わせられたアンテナポートを生成するために、アンテナポートの対を組み合わせる。第１および第２の組み合わせられたアンテナポートの各々について、ＢＳは、アンテナポートの組み合わせられた対の各アンテナポートの対応するＲＥ上で同じデータを送信し、ここにおいて、受信ＵＥは、第１および第２の組み合わせられたポートの各々について、チャネル推定値を決定し、決定されたチャネル推定値に基づいて、ＲＥにおいて受信されたデータを対で処理する。
【００４６】
[0058]本開示の特定の態様による、ＮＢ ＩｏＴのための新しい送信スキームをインプリメントするために上述したＵＥが、例えば、ＵＥ６５０においてコントローラ６５９、ＲＸプロセッサ６５６、チャネル推定器６５８、および／またはトランシーバ６５４のうちの１つまたは複数からなる組合せによってインプリメントされ得ることは留意され得る。さらに、ＢＳは、ｅＮＢ６１０においてコントローラ６７５、ＴＸプロセッサおよび／またはトランシーバ６１８のうちの１つまたは複数からなる組合せによってインプリメントされ得る。
【００４７】
[0059]ＤＬでは、コアネットワークからの上位レイヤパケットは、コントローラ／プロセッサ６７５に提供される。コントローラ／プロセッサ６７５は、Ｌ２レイヤの機能性をインプリメントする。ＤＬでは、コントローラ／プロセッサ６７５は、様々な優先順位メトリックに基づいて、ヘッダ圧縮、暗号化、パケットのセグメント化と並べ替え、論理チャネルとトランスポートチャネルとの間の多重化、およびＵＥ６５０への無線リソースの割振りを提供する。コントローラ／プロセッサ６７５は、ＨＡＲＱ動作、損失パケットの再送、およびＵＥ６５０へのシグナリングも担う。
【００４８】
[0060]ＴＸプロセッサ６１６は、Ｌ１レイヤ（すなわち、物理レイヤ）のための様々な信号処理機能をインプリメントする。信号処理機能は、ＵＥ６５０における前方誤り訂正（ＦＥＣ）を容易にするためにコーディングおよびインタリーブすることと、様々な変調スキーム（例えば、二相位相シフトキーイング（ＢＰＳＫ）、直角位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、複数の並列ストリームへと分けられる。次いで、各ストリームは、ＯＦＤＭサブキャリアにマッピングされ、時間および／または周波数ドメインにおいて基準信号（例えば、パイロット）と多重化され、次いで、時間ドメインＯＦＤＭシンボルストリームを搬送する物理チャネルを生成するために逆高速フーリエ変換（ＩＦＦＴ）を使用して共に組み合わされる。ＯＦＤＭストリームは、複数の空間ストリームを生成するために、空間的にプリコーディングされる。チャネル推定器６７４からのチャネル推定値は、コーディングおよび変調スキームを決定するためにおよび空間処理のために使用され得る。チャネル推定値は、ＵＥ６５０によって送信されるチャネル状態フィードバックおよび／または基準信号から導出され得る。次いで、各空間ストリームは、別個の送信機６１８ＴＸを介して異なるアンテナ６２０に提供される。各送信機６１８ＴＸは、ＲＦキャリアを、送信のためにそれぞれの空間ストリームで変調する。
【００４９】
[0061]ＵＥ６５０において、各受信機６５４ＲＸは、そのそれぞれのアンテナ６５２を通して信号を受信する。各受信機６５４ＲＸは、ＲＦキャリア上に変調された情報を復元し、この情報を受信機（ＲＸ）プロセッサ６５６に提供する。ＲＸプロセッサ６５６は、Ｌ１レイヤの様々な信号処理機能をインプリメントする。ＲＸプロセッサ６５６は、その情報に対して空間処理を実行して、ＵＥ６５０に宛てられた任意の空間ストリームを復元する。複数の空間ストリームがＵＥ６５０に宛てられている場合、それらは、ＲＸプロセッサ６５６によって、単一のＯＦＤＭシンボルストリームへと組み合わされ得る。次いで、ＲＸプロセッサ６５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボルと基準信号とは、ｅＮＢ６１０によって送信される、可能性の最も高い信号コンステレーションポイントを決定することで復元および復調される。これらの軟判定は、チャネル推定器６５８によって計算されたチャネル推定値に基づき得る。次いで、これら軟判定が復号およびデインタリーブされて、物理チャネル上でｅＮＢ６１０によって最初に送信されたデータおよび制御信号が復元される。次いで、データおよび制御信号が、コントローラ／プロセッサ６５９に提供される。
【００５０】
[0062]コントローラ／プロセッサ６５９は、Ｌ２レイヤをインプリメントする。コントローラ／プロセッサは、プログラムコードおよびデータを記憶するメモリ６６０に関連する。メモリ６６０は、コンピュータ読取可能な媒体と呼ばれ得る。ＵＬでは、コントローラ／プロセッサ６５９は、コアネットワークからの上位レイヤパケットを復元するために、トランスポートチャネルと論理チャネルの間の逆多重化、パケットのリアセンブリ、暗号解読（deciphering）、ヘッダ圧縮解除、制御信号処理を提供する。次いで、上位レイヤパケットは、Ｌ２レイヤより上位のすべてのプロトコルレイヤを表すデータシンク６６２に提供される。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００５１】
[0063]ＵＬでは、データソース６６７が、コントローラ／プロセッサ６５９に上位レイヤパケットを提供するために使用される。データソース６６７は、Ｌ２レイヤより上位のすべてのプロトコルレイヤを表す。ｅＮＢ６１０によるＤＬ送信に関して説明された機能性と同様に、コントローラ／プロセッサ６５９は、ｅＮＢ６１０による無線リソース割振りに基づいて、ヘッダ圧縮、暗号化、パケットのセグメント化と並べ替え、および論理チャネルとトランスポートチャネルとの間の多重化、を提供することで、ユーザプレーンおよび制御プレーンのためのＬ２レイヤをインプリメントする。コントローラ／プロセッサ６５９は、ＨＡＲＱ動作、損失パケットの再送、ｅＮＢ６１０へのシグナリングも担う。
【００５２】
[0064]ｅＮＢ６１０によって送信されたフィードバックまたは基準信号からチャネル推定器６５８によって導出されるチャネル推定値は、好適なコーディングおよび変調スキームを選択することと、空間処理を容易にすることとを行うために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００５３】
[0065]ＵＬ送信は、ＵＥ６５０における受信機機能に関して説明されたものと同様の方法で、ｅＮＢ６１０において処理される。各受信機６１８ＲＸは、そのそれぞれのアンテナ６２０を通して信号を受信する。各受信機６１８ＲＸは、ＲＦキャリア上に変調された情報を復元し、この情報をＲＸプロセッサ６７０に提供する。ＲＸプロセッサ６７０は、Ｌ１レイヤをインプリメントし得る。
【００５４】
[0066]コントローラ／プロセッサ６７５は、Ｌ２レイヤをインプリメントする。コントローラ／プロセッサ６７５は、プログラムコードおよびデータを記憶するメモリ６７６に関連付けられ得る。メモリ６７６は、コンピュータ読取可能な媒体と呼ばれ得る。ＵＬでは、コントローラ／プロセッサ６７５は、ＵＥ６５０からの上位レイヤパケットを復元するために、トランスポートチャネルと論理チャネルとの間の逆多重化、パケットリアセンブリ、暗号解読、ヘッダ圧縮解除、制御信号処理を提供する。コントローラ／プロセッサ６７５からの上位レイヤパケットは、コアネットワークに提供され得る。コントローラ／プロセッサ６７５は、ＨＡＲＱ動作をサポートするためにＡＣＫおよび／またはＮＡＣＫプロトコルを使用した誤り検出も担う。コントローラ／プロセッサ６７５，６５９は、それぞれ、ｅＮＢ６１０およびＵＥ６５０における動作を指揮し得る。
【００５５】
[0067]ＵＥ６５０におけるコントローラ／プロセッサ６５９および／または他のプロセッサ、コンポーネントおよび／またはモジュールは、動作、例えば、図８の動作８００、および／または、新しい送信スキームをインプリメントするための、ここで説明される技法のための他のプロセスを実行または指揮し得る。さらに、ｅＮＢ６１０におけるコントローラ／プロセッサ６７５および／または他のプロセッサ、コンポーネントおよび／またはモジュールは、動作、例えば、図９の動作９００、図１０の動作１０００、および／または、新しい送信スキームをインプリメントするための、ここで説明される技法のための他のプロセスを実行または指揮し得る。特定の態様では、図６に示されるコンポーネントのうちの任意のものの１つまたは複数は、例となる動作８００と９００および／またはここで説明される技法のための他のプロセスを実行するために用いられ得る。メモリ６６０および６７６は、ＵＥ６５０およびｅＮＢ６１０の１つまたは複数の他のコンポーネントによってアクセス可能および実行可能である、それぞれ、ＵＥ６５０およびｅＮＢ６１０のためのデータおよびプログラムコードを記憶し得る。
【００５６】
狭帯域モノのインターネット（ＮＢ ＩｏＴ）
[0068]狭帯域モノのインターネット（ＮＢ−ＩｏＴ）デバイスのようなデバイスは、システム帯域幅の比較的狭い領域を使用して通信し得る。ＵＥの複雑さを低減するために、ＮＢ−ＩｏＴは、１つの物理リソースブロック（ＰＲＢ）（１８０ｋＨＺ＋２０ｋＨＺガードバンド）を利用した展開を可能にし得る。ＮＢ−ＩｏＴ展開は、例えば、ＮＢ−ＬＴＥおよびｅＭＴＣ（拡張または進化型マシンタイプ通信）との相互互換性および低減されたフラグメンテーションを可能にするために、ハードウェアおよびＬＴＥの上位レイヤコンポーネントを利用し得る。
【００５７】
[0069]図７は、本開示の特定の態様による、ＮＢ−ＩｏＴの例となる展開７００を例示する。特定の態様によれば、ＮＢ−ＩｏＴは、３つの幅広い構成で展開され得る。特定の展開では、ＮＢ−ＩｏＴは、帯域内で展開され、同じ周波数帯に展開されるレガシーＧＳＭ／ＷＣＤＭＡ（登録商標）／ＬＴＥシステムと共存し得る。例えば、広帯域ＬＴＥチャネルは、例えば、１．４ＭＨｚから２０ＭＨｚまでの様々な帯域幅で展開され得、ＮＢ−ＩｏＴによる使用に利用可能な専用ＲＢが存在し得る７０２か、ＮＢ−ＩｏＴのために割り振られたＲＢが動的に割り振られ得る７０４。帯域内展開では、広帯域ＬＴＥチャネルの１つのリソースブロック（ＲＢ）、すなわち２００ｋＨｚ、が、ＮＢ−ＩｏＴに対して使用され得る。ＬＴＥインプリメンテーションは、隣接するキャリア間の干渉を防ぐために、キャリア間の無線スペクトルの未使用部分を含み得る。いくつかの展開では、ＮＢ−ＩｏＴは、広帯域ＬＴＥチャネルのガード帯域７０６に展開され得る。他の展開では、ＮＢ−ＩｏＴは、スタンドアローンで展開され得る（図示されない）。スタンドアローン展開では、１つの２００ＭＨｚキャリアが、ＮＢ−ＩｏＴトラフィックを搬送するために利用され、ＧＳＭスペクトルが再利用され得る。
【００５８】
[0070]ＮＢ−ＩｏＴの展開は、周波数およびタイミング同期のためのＰＳＳおよびシステム情報を伝達するためのＳＳＳのような同期信号を含み得る。本開示の特定の態様によれば、ＮＢ−ＩｏＴ動作の同期信号は、狭いチャネル帯域幅を占有し、同じ周波数帯域において展開されるレガシーＧＳＭ／ＷＣＤＭＡ／ＬＴＥシステムと共存することができる。ＮＢ−ＩｏＴ動作は、ＰＳＳ／ＳＳＳタイミング境界を含み得る。特定の態様では、これらのタイミング境界は、レガシーＬＴＥシステムにおける既存のＰＳＳ／ＳＳＳフレーム境界（例えば、１０ｍｓ）と比較して、例えば、４０ｍｓまで、拡張され得る。このタイミング境界に基づいて、ＵＥは、無線フレームのサブフレーム０において送信され得るＰＢＣＨ送信を受信することができる。
【００５９】
狭帯域モノのインターネット（ＮＢ−ＩｏＴ）のための例となるデータ送信スキーム
[0071]モノのインターネット（ＩｏＴ）は、例えば、エレクトロニクス、ソフトウェア、センサ、およびネットワーク接続性が埋め込まれた物理的なオブジェクトすなわち「モノ」のネットワークであり、これは、これらのオブジェクトがデータを収集および交換することを可能にする。モノのインターネットは、既存のネットワークインフラストラクチャにわたってリモートにオブジェクトが検知および制御されることを可能にし、物理世界とコンピュータベースシステムとの間のより直接的な融合の機会を作り、結果として、効率、精度、および経済的利益を向上させる。ＩｏＴにセンサおよびアクチュエータが装備されると、本技術は、スマートグリッド、スマートホーム、インテリジェント交通、スマートシティのような技術も含む、より一般的なクラスのサイバーフィジカルシステムの例になる。各「モノ」は一般に、その埋込みコンピューティングシステムを通して一意に識別可能であるが、既存のインターネットインフラストラクチャ内で相互運用することができる。
【００６０】
[0072]狭帯域ＩｏＴ（ＮＢ−ＩｏＴ）は、３ＧＰＰ標準化団体によって標準化されている技術である。この技術は、ＩｏＴのために特別に設計された狭帯域無線技術であり、ゆえにその名前である。この規格の特別な焦点は、屋内カバレッジ、低コスト、長いバッテリ寿命、および多数のデバイスにある。
【００６１】
[0073]ＮＢ−ＩｏＴ技術は、例えば、通常のＬＴＥまたはＧＳＭスペクトル内のリソースブロックを利用して、「帯域内」で展開され得る。加えて、ＮＢ−ＩｏＴは、ＬＴＥキャリアのガードバンド内の未使用リソースブロックにおいて展開され得るか、専用スペクトルでの展開の場合は「スタンドアローン」で展開され得る。
【００６２】
[0074]ＮＢ−ＩｏＴダウンリンク（ＤＬ）は典型的に、ＬＴＥヌメロロジ、例えば、１５ｋＨｚトーン間隔および約７０ｕｓシンボル長を有するＯＦＤＭを使用する。ＮＢ−ＩｏＴの帯域内バージョンは、広帯域ＬＴＥ信号に埋め込まれた信号を使用する。このケースでは、ｅＮＢは、１ポートＣＲＳ、２ポートＣＲＳ、および４ポートＣＲＳのうちの１つを送信する。しかしながら、ＮＢ−ＩｏＴデバイス（例えば、ＵＥ）は、例えば、空間周波数ブロックコーディング（ＳＦＢＣ）、時空間ブロックコーディング（ＳＴＢＣ）、プリコーダサイクリング、または送信アンテナサイクリングを含む、例えば、２ポートベースのダイバーシティスキームしかサポートしない可能性がある。ｅＮＢは典型的に、すべての既存ポートが信号／データ送信に関与する場合にのみ、フル電力信号を送信し得る。しかし、ＵＥ側では、これにより、１つのＵＥ Ｒｘアンテナに対して４つのｅＮＢアンテナのためのチャネルを推定することが必要となるであろう。
【００６３】
[0075]特定の態様では、ＮＢ−ＩｏＴのための効率的な送信スキームは、ＮＢ−ＩｏＴ ＵＥが２つのチャネル推定値だけを処理し、その一対のＲＥ（例えば、ＳＦＢＣ ＲＥ）に基づいて、ｅＮＢがＬＴＥおよびＮＢ−ＩｏＴのためのＤＬ送信に対してすべての電力を使用することができること、ｅＮＢが、２ポートＣＲＳで有したであろうものと同じ狭帯域電力ブースト能力を４ポートＣＲＳで有すること、およびｅＮＢが、例えば、ポート（０，１）およびポート（２，３）といった、ポート間で非ゼロ電力オフセットを設定する能力を有すること、を含む特定の要件を満たす必要があり得る。
【００６４】
[0076]ＮＢ−ＩｏＴのための可能な標準透過送信スキームは、ｅＮＢがＮＢ−ＩｏＴ周波数領域（例えば、ＲＢ）内で電力を借りることを含み得る。例えば、ｅＮＢは、ポート（２，３）から電力を借り、それをポート（０，１）上で使用する。しかしながら、このスキームは、ｅＮＢがＬＴＥおよびＮＢ−ＩｏＴのためのＤＬ送信に対してすべての電力を使用することができるという要件を満たさない。加えて、電力を借りることは、データに対してのみ機能するが、ＮＢ−ＩｏＴ ＲＢの外であるため、ＮＢ−ＩｏＴ ＲＢ内のＣＲＳポートに対しては機能しない。
【００６５】
[0077]ＮＢ−ＩｏＴのための別のシンプルな非透過送信スキームは、帯域内ＰＢＣＨ送信についてはすでにあることであるが、ＮＢ−ＩｏＴ ＵＥがいずれのチャネル推定に対してもレガシーＣＲＳを使用しないことを含み得る。同じことが、すべての帯域内データ送信に拡張され得る。ｅＮＢは、２つのＮＢ−ＩｏＴ固有基準信号を送信し得る。例えば、ｅＮＢは、４つの物理的なアンテナポートを用いて２つのＮＢ−ＩｏＴアンテナポートを有するために、インプリメンテーション依存型アンテナ仮想化スキームを使用し得る。しかしながら、このスキームの欠点は、ＮＢ−ＩｏＴＵＥの観点からみた無駄なＣＲＳ電力である。
【００６６】
[0078]本開示の特定の態様は、上述した要件を実質的に満たすＮＢ−ＩｏＴのための新しい送信スキームを提供する。
【００６７】
[0079]図８は、本開示の特定の態様による、ＮＢ ＩｏＴのための送信スキームをインプリメントするために、ＵＥによって実行される例となる動作８００を例示する。動作８００は、８０２において、少なくとも第１および第２の組み合わせられたアンテナポートを生成するために、アンテナポートの対を組み合わせることから開始する。８０４において、ＵＥは、より大きなシステム帯域幅の狭帯域領域において送信された基準信号を受信する。８０６において、組み合わせられたポートごとに、ＵＥは、アンテナポートの組み合わせられた対の各アンテナポートのＲＥ上で受信された基準信号を加算する。８０８において、ＵＥは、組み合わせられたポートのための加算された基準信号に基づいて、組み合わせられたアンテナポートごとにチャネル推定値を決定する。
【００６８】
[0080]図９は、本開示の特定の態様による、ＮＢ ＩｏＴのための送信スキームをインプリメントするために、基地局によって実行される例となる動作９００を例示する。動作９００は、９０２において、より大きなシステム帯域幅の狭帯域領域における送信のために、少なくとも第１および第２の組み合わせられたアンテナポートを生成するために、アンテナポートの対を組み合わせることから開始する。９０４において、第１および第２の組み合わせられたアンテナポートの各々について、基地局は、アンテナポートの組み合わせられた対の各アンテナポートの対応するＲＥ上で同じデータを送信し、ここにおいて、受信ＵＥは、第１および第２の組み合わせられたポートの各々について、チャネル推定値を決定し、決定されたチャネル推定値に基づいて、ＲＥにおいて受信されたデータを対（例えば、ＳＦＢＣ対）で処理する。
【００６９】
[0081]特定の態様では、ＵＥは、任意のさらなる処理の前に、アンテナポートの対を組み合わせる。例えば、ＵＥは、ＣＲＳポート０をポート２と、ＣＲＳポート１をポート３と組み合わせる。ある態様では、ＵＥは、例えば、可能なドップラー補償／フィルタ処理の後に、一致ＲＥ（matching RE）上の信号を加算する。次いで、ＵＥは、組み合わせられたポートに基づいて、２つのチャネル推定値、例えば、組み合わせられたポート０＋２について１つの推定値および組み合わせられたポート１＋３について別の推定値、を処理する。ある態様では、ＵＥは、これら２つのチャネル推定値に基づいて、すべてのデータＲＥをシンプルなＳＦＢＣ対で処理する。ある態様では、この技法を機能させるために、ｅＮＢは、組み合わせられたポートの一致ＲＥ、例えば、ポート０と２の両方またはポート１と３の両方のＲＥ、上で同じデータコンテンツを送信する。
【００７０】
[0082]特定の態様では、ＵＥは、何らかの初期処理を実行した後に、アンテナポートの対を組み合わせる。例えば、ＵＥは、ＣＲＳポート０およびＣＲＳポート２を第１および第２のスクランブリングシーケンスを用いてデスクランブルし、結果として得たデスクランブルされた信号を組み合わせる。同様に、ＵＥは、ＣＲＳポート１およびＣＲＳポート３を第３および第４のスクランブリングシーケンスを用いてデスクランブルし、結果として得たデスクランブルされた信号を組み合わせる。別の例では、ＵＥは、組み合わせる前に（できる限り、上に示したデスクランブル動作を実行した後で）ポート０−３に対応するＣＲＳ ＲＥに対して時間および／または周波数補間を実行し得る。さらに別の例では、ＵＥは、組み合わせる前にＣＲＳ ＲＥのデスクランブルおよびドップラー補償／フィルタ処理を実行し得る。次いで、ＵＥは、組み合わせられたポートに基づいて、２つのチャネル推定値、例えば、組み合わせられたポート０＋２について１つの推定値および組み合わせられたポート１＋３について別の推定値、を処理する。ある態様では、ＵＥは、これら２つのチャネル推定値に基づいて、すべてのデータＲＥをシンプルなＳＦＢＣ対で処理する。ある態様では、この技法を機能させるために、ｅＮＢは、組み合わせられたポートの一致ＲＥ、例えば、ポート０とポート２の両方またはポート１とポート３の両方のＲＥ、上で同じデータコンテンツを送信する。
【００７１】
[0083]特定の態様では、組み合わせられたポートとＵＥの内部結合利得との間のＣＲＳ電力オフセットの和は、ｅＮＢがデータに対して使用する電力オフセットと一致する。これを達成するために、ｅＮＢは、ＵＥの内部結合利得を知る必要があり得る。ある態様では、ＵＥの結合利得は、標準化されるか、ｅＮＢからＵＥにまたはＵＥからｅＮＢにシグナリングされ得る。特定の態様では、すべての電力オフセットが、０ｄＢに維持され得る。
【００７２】
[0084]特定の態様では、チャネル推定のためにポートを合計するときにどの結合利得をＵＥが使用し得るかには限界がある。これは、例えば、ポート（２，３）のためのＲＥの数がポート（０，１）のためのＲＥの数の半分しかないと考えると、何らかのパフォーマンス損失を引き起こし得る。したがって、ポート（２，３）のためのチャネル観測は、ノイズがより多い。特定の態様では、可能な解決策は、ポート０をポート１と、ポート２をポート３と組み合わせることである。これらのポートの組合せを使用することで、０ｄＢの電力オフセットを維持することがより容易となり、ＳＮＲは、各対内でより一層バランスが取れる。しかしながら、ある態様では、これは、最良のアンテナ相関統計値をもたらさないであろう。別の解決策は、ポート２および３を３ｄＢだけ電力ブーストすることを含み得る。しかしながら、これは、ｅＮＢが、２ポートＣＲＳで有したであろうものと同じ狭帯域電力ブースト能力を４ポートＣＲＳで有するという要件を満たさないであろう。さらに別の解決策は、ポート２および３について、ポート０および１よりもより多くのＲＥを搬送する追加のＮＢ−ＩｏＴ固有基準信号を加算することを含み得、それによって、ＮＢ−ＩｏＴ ＵＥのためのチャネル推定パフォーマンスを等化する。
【００７３】
[0085]特定の態様では、上述した送信スキームの変形例は、４つのポート上で送信する４つのＲＥを使用することを依然として含み得るが、ＵＥは、対数尤度比（ＬＬＲ）生成の前にデータＲＥの対を組み合わせる。ある態様では、組み合わせることは、チャネル推定の場合と同様に行われる。さらに、ある態様では、ＣＲＳスキームおよび処理は、前述した送信スキームと同じである。ある態様では、この変形例は、最初の（original）スキームと比較して、既存の規格に対するより変化がより少ない。このスキームの欠点は、利用可能なコーディングレートを、例えば、２倍に（by a factor of 2）増加させることを含み得る。これは、１／６のコーディングレートより上では問題であり得るが、１／６のコーディングレートより下では問題ではないであろう。
【００７４】
[0086]特定の態様では、基地局は、少なくともサブフレームのサブセットにおいてＮＢ−ＩｏＴ固有ＲＳ（ＮＢ−ＲＳ）を送信し得る。ＮＢ−ＩｏＴ ＲＳが存在するサブフレームでは、ＵＥは、チャネル推定を実行するために、ＮＢ−ＩｏＴ ＲＳをＬＴＥ ＣＲＳと組み合わせ得る。いくつかの例では、ＮＢ−ＩｏＴ ＲＳは、組み合わせられたＣＲＳポート０＋２および１＋３に対応するＮＢポート０およびＮＢポート１から送信され得る。次いで、ＵＥは、チャネル推定精度を高めるために、ＮＢ−ＲＳをＣＲＳと組み合わせ得る。例えば、ＵＥは、チャネル推定値の第１のセットを取得するために、上で説明したように、ＣＲＳ上で、デスクランブル、ドップラー補正、補間、および／またはＲＥの加算／組合せを実行し得る。さらに、ＵＥは、チャネル推定値の第２のセットを取得するために、ＮＢ−ＲＳに同様の動作を実行し得る。次いで、ＵＥは、チャネル推定値の第１および第２のセットを組み合わせる。
【００７５】
[0087]特定の態様では、異なる送信アンテナポートに対応するチャネルを直接加算するとき、破壊的組合せ（destructive combining）が起こる可能性がある。これは、レイリーフェージングを作り出すマルチパスチャネルの基本的なメカニズムとは異なっていないため、必ずしも大きな懸念事項にはならない。しかしながら、特定の態様では、送信アンテナが相関している場合、例えば、小さい発射角拡散（angular spread of departure）により、いくつかの不感帯方向（dead-zone direction）が作り出される可能性がある。特定の態様では、基地局におけるＴｘアンテナが相関しているとき、例えば、基地局における発射角の拡散が小さいため、受信機によって観察されるＴｘアンテナ間の位相差は、各受信アンテナ上でおよび複数の受信機ロケーションにおいて、同じであり得る。例えば、観察された位相差が１８０度に近いケースでは、それらの受信機ロケーションの集合は不感帯方向である。これらのロケーションにおいて、受信された信号は弱く、受信されたＳＮＲは低くなり得る。見通し線のケースでは、例えば、そのようなロケーションのセットは、実際、基地局から離れるように指し示す特定の方向の線を形成することができる。
【００７６】
[0088]可能な解決策は、アンテナポートにわたる遅相ディザリングを含み得る。さらに、ポート１とポート３との間の差に対するポート０とポート２との間の位相差は、不感帯方向が重ならないように慎重に選択され得る。
【００７７】
[0089]特定の態様では、２ポートダイバーシティスキーム（例えば、ＳＦＢＣ）がＮＢ ＩｏＴデバイスによってデータ送信に対して使用されるという仮定は、同じＯＦＤＭシンボル内の、周波数が近いＲＥの対を使用することを必要とする。これらの対は、単一のＲＥだけ分離された（例えば、ＣＲＳトーンだけ分離された）対または連続するＲＥのパース（pars）であり得る。しかしながら、いくつかのケース、例えば、シンボルがＣＳＩ−ＲＳまたはＣＳＩ−ＩＭを含むケース、では、そのようなＲＥ対の数が制限される。
【００７８】
[0090]ゆえに、特定の態様では、ＥＰＤＣＣＨに対して使用されるのと同じアンテナ選択ダイバーシティスキームが使用され得る。例えば、データリソース内の偶数および奇数のＲＥは、交互のアンテナポートにマッピングされる。
【００７９】
[0091]特定の態様では、ＮＢ−ＩｏＴチャネルの復調および時間および周波数追跡を可能にするために、新しいセル固有基準信号（ＲＳ）設計がＮＢ−ＩｏＴのために導入され得る。ＮＢ−ＩｏＴのための新しいＲＳは、ＮＢ−ＲＳと呼ばれ得る。ある態様では、ＮＢ−ＲＳのためのパターンは、１つまたは２つのアンテナポート（ＡＰ）の場合、レガシーＣＲＳに類似し得る。上述したように、レガシーＬＴＥは、１つ、２つ、または４つのアンテナポートを許容する。さらに、（例となるＰＢＣＨを除く）すべてのチャネルは、正しい数のＣＲＳトーンの周りでレートマッチングされる。
【００８０】
[0092]特定の態様では、ＮＢ−ＩｏＴのために、１つのアンテナポートしか利用可能でないときでさえも、すべてのチャネルが２つのＮＢ−ＲＳポートの周りでレートマッチングされる。ある態様では、２つのアンテナポートのうちの１つだけが利用可能なとき、例えば、ＡＰ１が利用可能なとき、第１の代替例では、ＡＰ２に対応するＲＳ位置（例えば、ＲＥ）は空の状態のままにされ、ＡＰ１のためのＲＳは電力ブーストされる。第２の代替例では、ＡＰ２に対応するＲＳ位置は、ＡＰ１に対応するＲＳで満たされる。
【００８１】
[0093]図１０は、本開示の特定の態様による、ＮＢ−ＩｏＴ送信のために、基地局によって実行され得る例となる動作１０００を例示する。動作１０００は、１００２において、データの送信のために（例えば、ＮＢ−ＩｏＴのために）少なくとも第１のアンテナポートおよび第２のアンテナポートを構成することから開始し、ここにおいて、第１および第２のアンテナポートの各々は、基準信号の異なるパターンに関連する。１００４において、基地局は、１つまたは複数のチャネル上での送信のために、第１および第２のアンテナポートの各々の基準信号の周りでレートマッチングを実行する。
【００８２】
[0094]図１１は、本開示の特定の態様による、リソースブロック（ＲＢ）における例となるＮＢ−ＲＳパターンを例示する。図１１ａは、ＲＢにおいて送信され得るアンテナポートＡＰ１ １１０２およびＡＰ２ １１０４のＮＢ−ＲＳパターンを示す。図１１ｂは、ＡＰ１だけが利用可能であるときの、上述した第１の代替例を例示する。示されるように、ＡＰ１のためのＲＳを電力ブーストしつつ、ＡＰ２に対応するＲＳ位置は空の状態のままにされる。図１１ｃは、ＡＰ１だけが利用可能であるときの第２の代替例を例示する。示されるように、ＡＰ２に対応するＲＳ位置は、ＡＰ１に対応するＲＳで満たされる。
【００８３】
[0095]特定の態様では、第１および第２の代替例のハイブリッドが使用され、ここで、レートマッチング／ＲＳ設計は、異なるサブフレームに対して異なり得る。例えば、ＰＢＣＨサブフレームでは第２の代替例が使用され、他のサブフレームでは、レガシーＬＴＥ挙動（例えば、真のＲＳの周りのレートマッチング）が使用され得る。追加的または代替的に、同じ送信アンテナからの偽のＳＦＢＣ（fake SFBC）がＰＢＣＨサブフレームで使用され、次いで、単一アンテナモードに移り得る。
【００８４】
[0096]レガシーＬＴＥでは、ＲＳ設計は、広帯域設計である。例えば、レガシーＣＲＳのためのスクランブリングシーケンスが、１１０個のＲＢに対して設計される。この広帯域設計は一般に、良好な放出特性を提供する。しかしながら、ＮＢ−ＩｏＴでは、ＵＥが（例えば、少なくとも初期アクセス中）ＬＴＥ広帯域におけるその位置を知らない可能性があるため、これは不可能であり得る。ゆえに、ＣＲＳは、（例えば、帯域内でのＰＲＢ位置における）周波数位置に依存しない。
【００８５】
[0097]１つよりも多くのＮＢ−ＩｏＴ ＲＢが同じセルにおいて構成される場合、同じＣＲＳシーケンスを使用すると、放出問題を招き得る。特定の態様では、解決策は、異なるＲＢに対して異なるシーケンスを使用することを含み得る。ある態様では、異なるシーケンスは、例えば、ＳＩＢにおいて、暗示的にまたは明示的にシグナリングされ得る。ある態様では、暗示的シグナリングは、（例えば、ＳＩＢにおいて）ＰＲＢのリストを送信することを含み得、ここにおいて、各ＲＢに対するスクランブリングシーケンスは、リストにおけるＲＢの位置（および、場合によっては、サブフレームインデックス、ＰＣＩＤ、等のような他のパラメータ）、アンカーＰＲＢに対する周波数の分離、または絶対周波数位置、のうちの１つまたは複数に基づく。ある態様では、明示的シグナリングは、例えば、ＳＩＢにおいて、スクランブリング初期化およびＰＲＢのリストを送信することを含み得る。
【００８６】
[0098]図１２は、本開示の特定の態様による、セルにおける異なるＲＢにおいて異なるシーケンスを使用するための動作１２００を例示する。動作１２００は、１２０２において、セルにおける送信のために２つ以上のＲＢを構成することから開始する。１２０４において、異なるスクランブリングシーケンスが、セルにおける送信のための２つ以上のＲＢの各々に対して構成される。１２０６において、ＲＢの各々において送信されるべきデータは、そのＲＢに対して構成されたスクランブリングシーケンスを使用してスクランブルされる。
【００８７】
[0099]代替的な態様では、同じシーケンスがそれらのＲＢに対して使用され、異なるＲＢにおいて同じシーケンスを使用することで引き起こされる放出問題に取り組むことはｅＮＢインプリメンテーションに委ねられる。例えば、異なるＰＣＩ（物理セル識別子）が各ＲＢにおいて使用され、および／または、不規則性がＰＲＢ配置に導入される（例えば、等間隔のＮＢ−ＩｏＴ ＰＲＢを展開しない）。
【００８８】
[00100]図１３は、本開示の特定の態様による、セルの異なるＲＢにおいて同じシーケンスを使用するための動作１３００を例示する。動作１３００は、１３０２において、セルにおける送信のために２つ以上のＲＢを構成することから開始する。１３０４において、同じスクランブリングシーケンスが、セルにおける送信のための２つ以上のＲＢに対して構成される。１３０６において、ＲＢの各々において送信されるべきデータは、構成されたスクランブリングシーケンスを用いてスクランブルされる。
【００８９】
[00101]開示されたプロセスにおけるステップの特定の順序または階層は、例示的なアプローチの実例であることは理解される。設計の選好に基づいて、プロセスにおけるステップの特定の順序または階層が再配列され得ることは理解される。さらに、いくつかのステップは、組み合わされたり省略されたりし得る。添付の方法の請求項は、様々なステップの要素をサンプルの順序で提示し、提示された特定の順序または階層に制限されるよう意図されるものではない。一般に、動作が図に例示されている場合、これらの動作は、任意の適切な対応する対応ミーンズプラスファンクションコンポーネントによって実行され得る。
【００９０】
[00102]例えば、決定するための手段、選択するための手段、実行するための手段、組み合わせるための手段、追加するための手段、取得するための手段、モニタするための手段、および／または試みるための手段は、図６に例示される基地局６１０のコントローラ／プロセッサ６７５、送信機プロセッサ６１６、および／または受信プロセッサ６７０、および／または、図６に例示されるユーザ機器６５０のコントローラ／プロセッサ６５９、受信プロセッサ６５６、および／または送信プロセッサ６６８のような１つまたは複数のプロセッサ（または、処理システム）を含み得る。送信するための手段は、図６に例示される基地局６１０の送信プロセッサ６１６、トランシーバ６１８、および／またはアンテナ６２０、および／または、図６に例示されるユーザ機器６５０の送信プロセッサ６６８、トランシーバ６５４、および／またはアンテナ６５２のような送信機を含み得る。受信するための手段および／または取得するための手段は、図６に例示される基地局６１０の受信プロセッサ６７０、トランシーバ６１８、および／またはアンテナ６２０、および／または、図６に例示されるユーザ機器６５０の受信プロセッサ６５６、トランシーバ６５４、および／またはアンテナ６５２のような受信機を含み得る。
【００９１】
[0103]さらに、「または」という用語は、排他的な「または」ではなく、包括的な「または」を意味するよう意図される。すなわち、別途明記されていない限りまたはコンテキストから明らかでない限り、例えば、「ＸはＡまたはＢを用いる」という表現は、自然な包括的並替えのうちのいずれかを意味するよう意図される。すなわち、例えば、「ＸはＡまたはＢを用いる」という表現は、ＸはＡを用いる、ＸはＢを用いる、またはＸはＡおよびＢの両方を用いる、という例のうちのいずれかよって満たされる。ここで使用される場合、単数形の要素への参照は、そうであると具体的に述べられていない限り、「１つおよび１つだけ」ではなく、むしろ「１つまたは複数」を意味するよう意図される。例えば、本願および添付の請求項で使用される場合、冠詞「a」および「an」は一般に、別途明記されていない限りまたは単数形を対象としていることがコンテキストから明らかでない限り、「１つまたは複数」を意味すると解釈されるべきである。別途明記されていない限り、「何らかの／いくつかの」という用語は、１つまたは複数を参照する。複数の項目からなるリスト「のうちの少なくとも１つ」を参照する表現は、単一のメンバを含む、それらの項目の任意の組合せを参照する。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに、複数の同じ要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）もカバーするよう意図される。ここでおよび特許請求の範囲で使用される場合、２つ以上の項目からなるリストで使用されるときの「および／または」という用語は、リストされた項目のうちのいずれか１つが単独で用いられることができること、または、リストされた項目のうちの２つ以上からなる任意の組合せが用いられることができることを意味する。例えば、ある構成が、コンポーネントＡ、Ｂ、および／またはＣを含むと説明されている場合、この構成は、Ａのみ、Ｂのみ、Ｃのみ、ＡとＢの組合せ、ＡとＣの組合せ、ＢとＣの組合せ、またはＡとＢとＣの組合せを含むことができる。
【００９２】
[0104]先の説明は、ここで説明された様々な態様の当業者による実施を可能にするために提供される。これらの態様への様々な修正は、当業者には容易に明らかとなり、ここで定義された包括的な原理は、他の態様に適用され得る。ゆえに、特許請求の範囲は、ここに示された態様に制限されるよう意図されるのではなく、特許請求の範囲の文言と合致する全範囲が与えられるべきである。当業者に知られているまたは後に知られることとなる、本開示全体にわたって説明された様々な態様の要素と構造的および機能的に同等なものはすべて、参照によってここに明確に組み込まれ、特許請求の範囲によって包含されるよう意図される。さらに、ここで開示されたものはいずれも、そのような開示が特許請求の範囲に明確に記載されているかどうかにかかわらず、公衆に献呈されるよう意図されない。請求項の要素はいずれも、その要素が「〜のための手段」という表現を使用して明確に記載されていない限り、ミーンズプラスファンクションとして解釈されるべきではない。
【図１】
2019503138.tif 000003
【図２】
2019503138.tif 000004
【図３】
2019503138.tif 000005
【図４】
2019503138.tif 000006
【図５】
2019503138.tif 000007
【図６】
2019503138.tif 000008
【図７】
2019503138.tif 000009
【図８】
2019503138.tif 000010
【図９】
2019503138.tif 000011
【図１０】
2019503138.tif 000012
【図１１】
2019503138.tif 000013
【図１２】
2019503138.tif 000014
【図１３】
2019503138.tif 000015
【国際調査報告】
2019503138.tif 000016
2019503138.tif 000017
2019503138.tif 000018
2019503138.tif 000019
2019503138.tif 000020
2019503138.tif 000021